(57)【要約】【課題】フレキシブルケーブルからの電磁波の漏れを軽減すると共に、制御回路などの電子部材によって発生する熱を放散する表示装置を提供することを目的とする。【解決手段】背面に金属部材７１が設けられる表示ユニット７と、表示ユニット７に一端が接続されたフレキシブルケーブル６と、表示ユニット７を制御する制御回路５１が実装され、フレキシブルケーブル６の他端が接続される基板５と、一部が金属部材７１とフレキシブルケーブル６間に設けられ、フレキシブルケーブル６と金属部材７１との間に距離を設けるスペーサ部材８１と、一部が金属部材７１と基板５間に設けられ、基板５からの熱を放散する放熱部材８２と、を有する複合部材８と、を備える。【選択図】図８
2009188314.tif 000002
【特許請求の範囲】
【請求項１】
背面に金属部材が設けられ、画像を表示可能な表示ユニットと、
前記表示ユニットに一端が接続されたフレキシブルケーブルと、
前記表示ユニットを制御する制御回路が実装され、前記フレキシブルケーブルの他端が接続される基板と、
少なくとも一部が前記金属部材と前記フレキシブルケーブル間に設けられるスペーサ部材と、少なくとも一部が前記金属部材と前記基板間に設けられ、当該基板からの熱を放散する放熱部材と、を有する複合部材と、
を備える表示装置。
【請求項２】
前記フレキシブルケーブルは、前記スペーサ部材と前記放熱部材とで形成されるエリアを通るように配線される、請求項１に記載の表示装置。
【請求項３】
前記スペーサ部材と前記放熱部材とで形成されるエリアは、一部が開口して形成される、
請求項２に記載の表示装置。
【発明の詳細な説明】
【技術分野】
【０００１】
本発明は、表示パネルを含む表示ユニットを備える表示装置に関する。より詳しくは、表示ユニットに接続されたフレキシブルケーブルから発生した電磁波が、他の部材に影響を与えることを軽減するものである。
【背景技術】
【０００２】
一般的に、デジタルカメラやカーナビゲーションシステムなどに使用される表示装置１００は、図９のように、表示ユニット１０１と、表示ユニット１０１に電気的に接続されたフレキシブルケーブル１０２と、フレキシブルケーブル１０２に電気的に接続される制御回路１０３と、を備えて構成される。これによって、制御回路１０３から表示ユニット１０１に対して画像信号が伝送され、表示ユニット１０１で画像を表示できるようにしたものである。
【０００３】
しかしながら、このような装置では、フレキシブルケーブル上に、デジタル信号などの高周波の信号が伝送されるため、フレキシブルケーブル上で不要な輻射ノイズ（電磁波）が発生する。
【０００４】
したがって、特許文献１では、このような課題を解決するために、フレキシブルケーブルの片側又は両側にシールド用金属箔を接着し、このシールド用金属箔を外枠体に接続するようにしている。
【特許文献１】特開２００５−４９７７４号公報
【発明の開示】
【発明が解決しようとする課題】
【０００５】
ところで、このような装置において、図９のように、表示ユニット１０１の背面が板金などの金属部材１０４で構成された場合、フレキシブルケーブルが金属部材に近接すると、
フレキシブルケーブルからの輻射成分が金属部材に伝搬してしまう。すなわち、ＥＭＣ対策として、フレキシブルケーブルからの不要な輻射成分が漏れるのを軽減する必要が発生する。
【０００６】
また、表示ユニットの制御を行なう制御回路は、表示させる画像の高画質化、高機能化等に伴い、処理データの増大と制御駆動周波数の高速化しているため、大量の熱を発生する。この熱によって制御回路の異常動作又は、表示装置の発熱の問題を引き起こす可能性がある。
【０００７】
そこで、本発明は上記課題を解決するために、フレキシブルケーブルからの電磁波の漏れを軽減すると共に、制御回路などの電子部材によって発生する熱を放散する表示装置を提供することを目的とする。
【課題を解決するための手段】
【０００８】
本発明は上記課題を解決するために、背面に金属部材が設けられ、画像を表示可能な表示ユニットと、前記表示ユニットに一端が接続されたフレキシブルケーブルと、前記表示ユニットを制御する制御回路が実装され、前記フレキシブルケーブルの他端が接続される基板と、少なくとも一部が前記金属部材と前記フレキシブルケーブル間に設けられ、当該金属部材とフレキシブルケーブルとの距離を設けるスペーサ部材と、少なくとも一部が前記金属部材と前記基板間に設けられ、当該基板からの熱を放散する放熱部材と、を有する複合部材と、を備える。
【０００９】
このようにすれば、表示ユニットとフレキシブルケーブルの間に距離を設けることができるので、フレキシブルケーブルから金属部材に電磁波が流れ出るといったことを軽減できる。また、放熱部材を基板と金属部材の間に設けるようにしたので、基板で発生した熱を、金属部材を介して外部へ伝導することができる。
【００１０】
また、好ましくは、前記フレキシブルケーブルは、前記スペーサ部材と前記放熱部材とで形成されるエリアを通るように配線される。
【００１１】
このようにすれば、表示ユニットとフレキシブルケーブルの間から誤ってスペーサ部材が外れるといったことを回避できる。
【００１２】
さらに、好ましくは、前記スペーサ部材と前記放熱部材とで形成されるエリアは、一部が開口して形成される。
【００１３】
このようにすれば、フレキシブルケーブルに対する複合部材の取り付け作業を容易にすることができる。
【発明の効果】
【００１４】
すなわち、本発明は、金属部材とフレキシブルケーブルの間に距離を設けるようにしたので、フレキシブルケーブルから金属部材への電磁波の漏れを軽減できる。また、放熱部材を基板と金属部材の間に設けるようにしたので、基板で発生した熱を、金属部材を介して外部へ伝導することができる。
【発明を実施するための最良の形態】
【００１５】
（実施の形態１）
１．構成
以下、本発明の一実施の形態について、図面を参照して説明する。本実施の形態は、デジタルカメラ１に適用した場合を例にして説明する。
【００１６】
図１は、本実施の形態にかかるデジタルカメラ１から背面ケース３を取り外した場合の構成図である。図２は、本実施の形態にかかる背面ケース３の内側を説明するための構成図である。図３は、本実施の形態にかかる複合部材８を説明するための図である。図４は、図３のＡ−Ａ線の断面図である。
【００１７】
本実施の形態は、レンズユニット４と、基板５と、基板５に接続されるフレキシブルケーブル６と、表示ユニット７と、複合部材８とを備える。複合部材８は、フレキシブルケーブル６から表示ユニット７に対する輻射を軽減するスペーサ部材８１と、基板５からの熱を放散する放熱部材８２と、を有する。これによって、フレキシブルケーブル６からの輻射の軽減と、基板で発生した熱の放熱を一つの部材で可能にしたものである。以下、デジタルカメラ１の具体的構成について説明する。
【００１８】
図１は、デジタルカメラ１の前面ケース２に、レンズユニット４と、基板５とが設けられた図を示している。
【００１９】
レンズユニット４は、レンズなどを含む光学系と、レンズを駆動する駆動部と、撮像素子とを備える。撮像素子は、光学系を介して集光した光を、画像データとして撮像する。撮像素子で撮像された画像データは、ＡＤコンバータによってアナログ信号からデジタル信号に変換される。デジタル化された画像データは、画像処理部によって所定の画像処理が施される。所定の画像処理としては、ＹＣ変換、ガンマ変換、電子ズーム処理等である。画像処理が行われた画像データは、コネクタや電線等を介して、基板５に実装された制御回路５１に伝送される。なお、レンズユニット４は、レンズケーブル４１と電気的に接続される。この場合、レンズユニット４とレンズ用ケーブルの接続部分４２をハンダによって接続するようにしている。レンズ用ケーブルは、基板５に実装されたレンズ用コネクタ５４と電気的に接続される。
【００２０】
基板５には、図１のように、制御回路５１の他に、表示パネル用コネクタ５２と、バックライト用コネクタ５３と、レンズ用コネクタ５４が実装されている。なお、基板５には、コネクタや半導体回路などの他の電子部材を実装してもよい。
【００２１】
制御回路５１は、基板５の実装面の表又は裏の何れかに設けられるものであり、表示ユニット７を制御するものである。例えば、制御回路５１は、画像処理が行われた画像データを、表示ユニット７に対し出力する。これによって、制御回路５１は、表示ユニット７で画像データを表示させることができる。なお、制御回路５１は、マイクロコンピュータで実現してもよいし、ハードワイヤードな回路で実現してもよい。
【００２２】
表示パネル用コネクタ５２は、制御回路５１に電気的に接続される。電気的な接続は、銅箔パターンなどの電線によって可能である。また、バックライト用コネクタ５３も同様に、制御回路５１に電気的に接続される。レンズ用コネクタ５４も同様である。
【００２３】
図２は、デジタルカメラ１の背面ケース３に表示ユニット７と、フレキシブルケーブル６と、バックライト用ケーブル９とが設けられた図を示している。
【００２４】
表示ユニット７は、液晶モニタや有機ＥＬディスプレイなどを用いることができる。例えば、液晶モニタで実現した場合、表示パネルやバックライトなどを含んで構成される。表示パネルは、フレキシブルケーブル６から画像データを受け取って、表示パネルに画像を表示するものである。バックライトは、バックライト用ケーブル９からの制御信号に基づいて、光を照射のオン・オフを切り替えるものである。ここで表示ユニット７の背面は板金などの金属部材７１が設けられている。
【００２５】
フレキシブルケーブル６は、表示パネルと表示パネル用コネクタ５２とを電気的に接続するものである。フレキシブルケーブル６は、薄膜上にプリント配線をし、両端に端子を付ける。そして、フレキシブルケーブル６は、プリント配線がされた薄膜の表面に絶縁体を被せて構成される。これによって、表示パネルと基板５とを電気的に接続でき、表示パネルと基板５の制御回路５１間での信号の伝送を可能にしている。
【００２６】
バックライト用ケーブル９は、バックライトとバックライト用コネクタ５３とを電気的に接続するものである。これによって、制御回路５１からの制御信号をバックライトに伝送できるようにしている。
【００２７】
複合部材８は、スペーサ部材８１と、放熱部材８２とを有する（図３）。複合部材８は、表示ユニット７側の面の少なくとも一部に粘着部材８４が設けられ、表示ユニット７等に接着できるようにしている。粘着部材８４には、接着剤が利用可能で、強粘着や弱粘着の部材を用いることができる。なお、複合部材８の背面ケース３への設置は、粘着部材８４に限られず、ネジなどの機構部品によっても可能である。
【００２８】
スペーサ部材８１は、一部が表示ユニット７とフレキシブルケーブル６と間に設けられ、金属部材７１とフレキシブルケーブル６間に距離を設けるようにしたものである。すなわち、スペーサ部材８１は、表示ユニット７の金属部材７１とフレキシブルケーブル６が近接しないようにするものである。スペーサ部材８１は、ＰＥＴフィルムなどのフィルム部材によって構成できる。すなわち、スペーサ部材８１は、合成樹脂によって構成可能である。
【００２９】
放熱部材８２は、一部が表示ユニット７と基板５間に設けられ、基板５からの熱を放散するものである。放熱部材８２は、金属など半導体よりも熱伝導の高い部材によって構成されるものである。例えば、放熱部材８２は、銅箔膜によって構成可能である。これによって、基板５に接触させ、熱を放散することができる。
【００３０】
ここで図４を用いて、本実施の形態の複合部材８の構成を説明する。複合部材８は、スペーサ部材８１である二枚のフィルム部材と、放熱部材８２である銅箔膜とを備えている。そして、銅箔膜が、二枚のフィルム部材に挟まれて構成される。この際、接着部材８６によって接着される。これによって、スペーサの役割と、放熱の役割を一つの部材で可能にしている。なお、本実施の形態では、二枚のフィルム部材と、銅箔膜によって複合部材８を構成するようにしたが、これに限られず、スペーサの役割と放熱の役割をできるものであれば、どのような構成であってもよい。
【００３１】
なお、本実施の形態のように、二枚のフィルム部材で銅薄膜を挟むようにすれば、複合部材を、基板５の上部やレンズユニット４（接続部分４２）の上面に設けることもできるので、基板５やレンズユニット４（接続部分４２）の絶縁部材８３として、機能することもできる。すなわち、スペーサ部材８１を構成したフィルム部材によって、絶縁が可能となる。
【００３２】
また、複合部材８は、本実施の形態のような形状に限られず、図８のように、スペーサ部材８１ａと放熱部材８２ａとによってフレキシブルケーブル６を囲むようにしてもよい。このようにすれば、金属部材７１とフレキシブルケーブル６の間から誤ってスペーサ部材８１ａが外れるといったことを回避できる。
【００３３】
そしてこの場合、フレキシブルケーブル６を囲む部分の一部を開口する開口部８５ａを設けるとよい。このようにすれば、フレキシブルケーブル６に対する複合部材８の取り付け作業を容易にすることができる。
２．組み立て方法
次に、このように構成されたデジタルカメラ１の組み立て方法を説明する。本実施の形態では、図１と図２までは組み立て終わっているものとして、説明を行なう。
【００３４】
まず、図２の背面ケース３に対して、図３の複合部材８を取り付ける（図５）。この際、スペーサ部材８１が、金属部材７１とフレキシブルケーブル６の間に設けられ、放熱部材８２が基板５の上部に設けられるように設置する。基板５の上部とは、図６の位置に放熱部材８２が設けられることである。また、レンズユニット４の接続部分４２の上部に、絶縁部材８３が来るように設置する（図６）。このようにすれば、接続部分の絶縁が可能となる。ここで図３のように、放熱部材８２は、金属部材７１が設けられた位置に配置されるよう略コの字形状をしている。これによって、放熱部材８２が金属部材７１上に配置される面積を広くして、放熱部材８２から金属部材７１への熱の伝導を少しでも多くするようにしている。
【００３５】
次に、前面ケース２に、複合部材８が取り付けられた背面ケース３を取り付ける。この際、フレキシブルケーブル６を表示パネル用コネクタ５２に、バックライトケーブルをバックライト用コネクタ５３に接続する。なお、背面ケース３と前面ケース２は、ネジなどの機構部品で接続することができる。これによって、デジタルカメラ１の組み立てが完了する。
【００３６】
組み立てが完了すると、図７のような構成となる。すなわち、デジタルカメラ１は、表示ユニット７とフレキシブルケーブル６の間に、スペーサ部材８１が設けられ、また、基板５の上部に金属部材７１が設けられる。これによって、表示ユニット７とフレキシブルケーブル６の間に距離を設けることによって、表示ユニット７の金属部材７１に対する電磁波の漏れを軽減し、かつ、放熱部材８２を基板５の上部に設けることによって、基板５で発生した熱を外部へ逃がすようにしている。
３．まとめ
上述のように本実施の形態では、背面に金属部材７１が設けられる表示ユニット７と、表示ユニット７に一端が接続されたフレキシブルケーブル６と、表示ユニット７を制御する制御回路５１が実装され、フレキシブルケーブル６の他端が接続される基板５と、一部が表示ユニット７とフレキシブルケーブル６間に設けられ、フレキシブルケーブル６から金属部材７１に対する電磁波の漏れを軽減するスペーサ部材８１と、一部が表示ユニット７と基板５間に設けられ、基板５からの熱を放散する放熱部材８２と、を有する複合部材８と、を備える。このようにしたので、金属部材７１とフレキシブルケーブル６の間に、スペーサ部材８１が設けることができ、また、基板５と金属部材７１の間に放熱部材８２を設けることができる。これにより、フレキシブルケーブル６からの電磁波の漏れを軽減し、基板５で発生した熱を外部へ放散することができる。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００３７】
本実施の形態では、図７のようにフレキシブルケーブル６を折り曲げて基板５に接続するようにしているが、これに限られない。
【００３８】
すなわち、本発明は上記実施の形態に限定されることなく、種々の態様で実施できる。
【産業上の利用可能性】
【００３９】
本発明は、画像を表示可能な表示装置に適用可能である。具体的には、テレビ受像機や表示装置を備えるデジタルカメラ、ムービー、カメラ付き携帯端末等に利用できる。
【図面の簡単な説明】
【００４０】
【図１】本実施の形態にかかるデジタルカメラの背面ケースを取り外した状態の構成を示す模式図
【図２】本実施の形態にかかる背面ケースの内側の構成を示す模式図
【図３】本実施の形態にかかる複合部材を説明するための図
【図４】図３のＡ−Ａ線断面図
【図５】本実施の形態にかかる背面ケースに複合部材を設置した例を説明するための図
【図６】本実施の形態にかかる背面ケースにおける複合部材の設置位置を説明するための図
【図７】本実施の形態にかかる図１の前面ケースに図５の背面ケースが取り付けられた状態におけるＢ−Ｂ線の一部断面図
【図８】他の実施の形態にかかる複合部材を説明するための図
【図９】従来の技術における課題を説明するための図
【符号の説明】
【００４１】
１    デジタルカメラ
２    前面ケース
３    背面ケース
４    レンズユニット
４１    レンズケーブル
４２    接続部分
５    基板
５１    制御回路
５２    表示パネル用コネクタ
６    フレキシブルケーブル
７    表示ユニット
７１    金属部材
８、８ａ    複合部材
８１、８１ａ    スペーサ部材
８２、８２ａ    放熱部材
８３、８３ａ    絶縁部材
８４    粘着部材
８５ａ    開口部
８６    接着部材
【図１】
2009188314.tif 000003
【図２】
2009188314.tif 000004
【図３】
2009188314.tif 000005
【図４】
2009188314.tif 000006
【図５】
2009188314.tif 000007
【図６】
2009188314.tif 000008
【図７】
2009188314.tif 000009
【図８】
2009188314.tif 000010
【図９】
2009188314.tif 000011